(57)【要約】      （修正有）【課題】簡単な作業でカラーをカラー取付部に確実に装着し、回り止めも確実に行えるコネクタを提供する。【解決手段】コネクタは、ハウジング３と、ハウジング３に形成されたカラー取付部３３と、カラー取付部３３に装着されるカラー４とを備えている。カラー取付部３３の内周面には、カラー取付部３３の周方向に沿って延びたロック部が形成されている。また、カラー取付部３３の内周面には、ロック部の一部を切り欠いて形成された４つの孔が、等間隔で設けられている。カラー４は、円筒状を呈しており、位置決め片と、回り止めボスとが先端面から延びている。位置決め片は、可撓部の先端に係止部を備えており、可撓性を有している。回り止めボスは、位置決め片同士の間に設けられており、先端が可撓部間に位置している。【選択図】図２
2013045554.tif 000002
【特許請求の範囲】
【請求項１】
ハウジングと、前記ハウジングに形成された孔状のカラー取付部と、前記カラー取付部に装着される筒状のカラーとを備えたコネクタであって、
前記カラー取付部の内周面には、周方向にフランジ状に延びたロック部と、前記ロック部の一部を切り欠いて形成された切欠部とが設けられ、
前記カラーには、可撓性を有して前記ロック部に係止する位置決め片と、前記切欠部に収容される回り止めボスとが設けられていることを特徴とするコネクタ。
【請求項２】
前記位置決め片の外周面には、前記ロック部に当接するテーパー面が形成されていることを特徴とする請求項１に記載のコネクタ。
【発明の詳細な説明】
【技術分野】
【０００１】
本発明は、ハウジングにカラーが装着されたコネクタに関する。
【背景技術】
【０００２】
下記の特許文献１のコネクタでは、ハウジングのカラー取付部にカラーが装着されている。
【先行技術文献】
【特許文献】
【０００３】
【特許文献１】特開平８−８８０４６号公報
【発明の概要】
【発明が解決しようとする課題】
【０００４】
この種のカラーは、専用の冶具を用いてカラー取付部に圧入され、カラー取付部からの突出量で圧入の完了が確認されていた。また、カラーの外周面には、回り止めのためにローレット加工が施されることがあるが、カラー圧入時にカラー取付部が塑性変形して劣化し、回止力が弱まる虞があった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、ハウジングと、前記ハウジングに形成された孔状のカラー取付部と、前記カラー取付部に装着される筒状のカラーとを備えたコネクタであって、前記カラー取付部の内周面には、周方向にフランジ状に延びたロック部と、前記ロック部の一部を切り欠いて形成された切欠部とが設けられ、前記カラーには、可撓性を有して前記ロック部に係止する位置決め片と、前記切欠部に収容される回り止めボスとが設けられていることを特徴とする。
また、本発明は、前記位置決め片の外周面には、前記ロック部に当接するテーパー面が形成されていることを特徴とする。
【発明の効果】
【０００７】
本発明によれば、カラー取付部にカラーを挿入するという簡単な作業で、カラー取付部にカラーを確実に装着し、カラーの回り止めも確実に行える。
【図面の簡単な説明】
【０００８】
【図１】本発明の一実施形態のコネクタを示す斜視図である。
【図２】図１のコネクタを示す分解斜視図である。
【図３】図１のハウジングを示す斜視図である。
【図４】図１のカラーを示す斜視図である。
【図５】カラー取付部に対するカラーの取付構造を示す断面図である。
【発明を実施するための形態】
【０００９】
以下、図面を参照して、本発明の一実施形態を説明する。
【００１０】
図１，２に示すコネクタは、ハウジング３と、ハウジング３に形成されたカラー取付部３３と、カラー取付部３３に装着されるカラー４とを備えている。
【００１１】
カラー取付部３３は、ハウジング３の側面から突出した板状体で構成されており、孔状を呈している。カラー取付部３３の表面側は、図３に示すように、縮経した位置決めリブ３１となっており、位置決めリブ３１の裏面側の端部にはロック部３１ｂが形成されている。ロック部３１ｂは、位置決めリブ３１の周方向に沿って延びており、裏面にはテーパー面３１ａが形成されている。ロック部３１ｂには、４つの孔３２が等間隔で設けられている。孔３２は、ロック部３１ｂの一部を切り欠いて形成されている。
【００１２】
カラー４は、図４に示すように、円筒状を呈しており、位置決め片４２と、回り止めボス４１とが先端面から延びている。位置決め片４２は、カラー４の周方向に沿って等間隔で４つ設けられている。位置決め片４２は、可撓部４２ｂの先端に係止部４２ａを備えており、可撓性を有している。係止部４２ａの外周面には、テーパー面が形成されている。回り止めボス４１は、位置決め片４２同士の間に設けられており、先端が可撓部４２ｂ間に位置している。
【００１３】
カラー４は、図２に示すように、カラー取付部３３の裏面側に先端側から挿入される。位置決め片４２は、係止部４２ａのテーパー面がロック部３１ｂのテーパー面３１ａに当接すると、可撓部４２ｂを内側に撓ませる。係止部４２ａがロック部３１ｂを乗り越えると、可撓部４２ｂの撓みが解けて係止部４２ａがロック部３１ｂに係止する。これに伴い、回り止めボス４１は孔３２内に進入する。
【００１４】
カラー４は、図５に示すように、位置決め片４２がロック部３１ｂに係止することで、カラー取付部３３の裏面側への移動が規制され、回り止めボス４１が孔３２の側面に当接することで、周方向への移動が規制される。また、カラー４は、ロック部３１ｂに先端面が当接し、位置決めリブ３１の端面に回り止めボス４１が当接することで、カラー取付部３３の表面側への移動が規制される。
【００１５】
本実施形態によれば、カラー取付部３３にカラー４を挿入するという簡単な作業で、カラー取付部３３にカラー４を確実に装着し、カラー取付部３３に対するカラー４の回り止めも確実に行える。このため、カラー取付部３３にカラー４を圧入する必要もなく、カラー取付部３３及びカラー４の劣化を抑えることもできる。
【００１６】
また、本実施形態によれば、可撓部４２ｂの撓みが解けて係止部４２ａがロック部３１ｂに係止するのを確認することで、カラー４が正規位置に挿入されたと判断できるため、カラー４の装着完了の確認も容易に行うことができる。
【００１７】
なお、上記実施形態では、カラー取付部３３が位置決めリブ３１を備えていたが、必ずしも位置決めリブ３１を備えている必要はない。また、ロック部３１ｂ及び孔３２の数量も任意であり、４つには限定されない。また、位置決めリブ３１，ロック部３１ｂ，孔３２，回り止めボス４１，位置決め片４２の形状も上記実施形態での構成には限定されない。
【符号の説明】
【００１８】
３          ハウジング
３１        位置決めリブ
３１ａ      テーパー面
３１ｂ      ロック部
３２        孔（切欠部）
３３        カラー取付部
４          カラー
４１        回り止めボス
４２        位置決め片
４２ａ      係止部
４２ｂ      可撓部
【図１】
2013045554.tif 000003
【図２】
2013045554.tif 000004
【図３】
2013045554.tif 000005
【図４】
2013045554.tif 000006
【図５】
2013045554.tif 000007